(57)【要約】      （修正有）【課題】ハンカチ形状の布で、ハンカチにもリストバンドにも使用できる汗取り具の提供。【解決手段】手首に巻付け可能な帯状体に折り畳み可能な吸水性の良好な四角形の布１に、該布１を帯状体に折り畳んだ際の両端に、該帯状体を着用者に巻いた状態を保持するための面ファスナー20を具えている。【選択図】図１
0003114609.tif 000002
【実用新案登録請求の範囲】
【請求項１】
手首、頭部回り等、着用者の決められた部位に巻付け可能な帯状体(10)に折り畳み可能な吸水性の良好な四角形の布(１)に、該布(１)を帯状体(10)に折り畳んだ際の両端に、該帯状体(10)を着用者に巻き付けた状態を保持するための係止手段(２)を具えた汗取り具。
【請求項２】
布(１)は、平行に複数回折り畳むと着用者の手首をほぼ一周するリストバンド(1a)となる請求項１に記載の汗取り具。
【請求項３】
布(１)は、着用者の頭回りを略一周する長さを有し、その長さを変えることなく帯状体(10)に折り畳むとヘッドバンド(1b)となる請求項１に記載の汗取り具。
【請求項４】
係止手段(２)は、帯状体(10)の一端に設けられた雄ファスナー片(21)と、他端に設けられた雌ファスナー片(22)とによって構成される面ファスナー(20)である請求項１乃至３の何れかに記載の汗取り具。
【請求項５】
布(１)は織製である請求項１乃至４の何れかに記載の汗取り具。
【考案の詳細な説明】
【技術分野】
【０００１】
本考案は、畳むとリストバンドやヘッドバンドとなり、開くとハンカチやタオルとなる汗取り具に関する。
【背景技術】
【０００２】
テニス等のスポーツを行うときに、プレーヤは汗取りのためにリストバンドやヘッドバンドを着用する。
従来のリストバンドやヘッドバンドは、伸縮性に優れた素材で環状に形成されて、その伸縮性によって手首や頭部からの脱落を防止している。
これらリストバンドやヘッドバンドはニット製品であって、ニット製品の特徴として、材料糸は彩り豊かに染めることはできても、色の異なる複数種類の糸を用い、編製によっ色模様を形成しても、その色模様の輪郭はデザイナーの意図した様には表れない。例えば円形模様を、その輪郭が美しく円弧を描く様に表すことはできず、ギザギザな線で略円形状の模様が表れる。
又、伸縮性素材、即ち、一般的には合成繊維は吸水性が良いとは言えないので、リストバンド、ヘッドバンド、即ち、汗取り具として相応しい素材とは言えない。
【考案の開示】
【考案が解決しようとする課題】
【０００３】
リストバンドやヘッドバンドを、綿等の吸水性の良好な素材で形成した場合、伸縮性に欠けるために、万人の手首や頭回り等にフィットさせることが困難である。
本考案は、上記問題を解決できる汗取り具を明らかにするものある。
【課題を解決するための手段】
【０００４】
請求項１の汗取り具は、手首、頭部回り等、着用者の決められた部位に巻き付け可能な帯状体(10)に折り畳み可能な吸水性の良好な略正四角形の布(１)に、該布(１)を帯状体(10)に折り畳んだ際の両端に、該帯状体(10)を着用者に巻き付けた状態を保持するための係止手段(２)を具えている。
【０００５】
請求項２は請求項１の汗取り具において、布(１)は平行に複数回折り畳むと着用者の手首をほぼ一周するリストバンド(1a)となる。
【０００６】
請求項３は請求項１の汗取り具において、布(１)は、着用者の頭回りを略一周する長さを有し、その長さを変えることなく帯状体(10)に折り畳むとヘッドバンド(1b)となる。
【０００７】
請求項４は請求項１乃至３の何れかの汗取り具において、係止手段(２)は、帯状体(10)の一端に設けられた雄ファスナー片(21)と、他端に設けられた雌ファスナー片(22)とによって構成される面ファスナー(20)である。
【０００８】
請求項の５は、請求項１乃至４の何れかの汗取り具において、布(１)は織製である。
【考案の効果】
【０００９】
請求項１の汗取り具は、折畳めばリストバンド、ヘッドバンド、開けばハンカチ、タオル等、布(１)の大きさを、着用部位に対応させることで、種々のバリエーションを展開できる。
布(１)は、綿等、吸水性の良好な素材で形成されているから、汗取り具として適している。
又、布(１)は織製であるから、編製の布に比べて、模様の輪郭に不必要にギザギザ線が強調されることを抑えることができる。
【００１０】
請求項２の汗取り具は、布(１)を平行に４つ折りして畳むとリストバンド(1a)と使用でき、開くとハンカチとして使用できる。
【００１１】
請求項３の汗取り具では、布(１)は着用者の頭回りを略一周する長さを有するので、幅長さが適度に小さくなる様に折り畳むとヘッドバンド(1b)となる。
【００１２】
請求項４の汗取り具では、係止手段(２)は面ファスナー(20)であるから、帯状体(10)に折り畳んだ布の、手首、頭回り等への巻き長さを最適に調節可能である。
【００１３】
請求項５の汗取り具では、布(１)は織製であるから、編製の布に比べて、模様の輪郭に不必要にギザギザ線が強調されることを抑えることができる。
【考案を実施するための最良の形態】
【００１４】
図１は、ハンカチ形状の汗取り具の表面、図２はその裏面を示しており、図４、図５に示す如く、帯状体(10)に畳むとリストバンド(1a)となる。
汗取り具は、略正方形の布(１)と、該布(１)を、対向する２辺が重なる様に２つ折りした状態を保持するための止め具(３)(３)と、リストバンド(1a)として使用する際に、手首に巻き付けた状態を保持する係止手段(２)とによって構成される。
【００１５】
実施例の布(１)の大きさは、正確には長辺２７cm、短辺２３cmの長方形であるが、大きさは厳密ではなく、ハンカチサイズの正方形或いは正方形に近い長方形でもよい。
布(１)は、綿の編製タオル地であって、対向する２辺は端縁を全長に亘って裏側に少し折り返して縫着した折返し部(11)を設け、他の対向する２辺は、縁かがり縫い(12)を施して、布端縁の糸のほつれを防止している。
【００１６】
止め具(３)は、上記布(１)の一方の折返し部(11)に設けた雄ホック片(31)と、他方の折返し部(11)に設けた雌ホック片(32)とによって構成されるホック(30)であって、実施例では、両折返し部(11)(11)の両端部に、雄ホック片(31)(31)と雌ホック片(32)(32)が縫着されている。
各ホック片(31)(31)、(32)(32)は、２枚重なりの布(１)を貫通しており、布(１)の裏面で、雄ホック片(31)と雌ホック片(32)が着脱可能に係合する位置にある。
【００１７】
係止手段(２)は面ファスナー(20)であって、該面ファスナー(20)は、一方の折返し部(11)の一端側の雄ホック片(31)の近傍に取り付けた雄ファスナー片(21)と、他端側の雄ホック片(31)の近傍に取り付けた雌ファスナー片(22)とによって構成される。
雄ファスナー片(21)は、布(１)の縁かがり縫い(12)から外側に突出する様に布(１)の表面に縫着されている。
雌ファスナー片(22)は、布(１)の裏面に縫着されている。
【００１８】
然して、図２、図３、図４の順に示す様に、上記布(１)を折返し部(11)(11)どうしが重なる様に２つ折りし(図３)、両雄ホック片(31)(31)を雌ホック片(32)(32)に係合する。
更に、折り線Ｌと平行に２つ折りして帯状体(10)(リストバンド)を形成する。
最初の２つ折りの際に、ホック(30)(30)で止めているから、次の２つ折りの際に、布を綺麗に折ることができる。
上記リストバンド(1a)を、面ファスナー(20)の雌ファスナー片(22)が外側を向く様にして、手首を少し締め付け気味に巻き、雄ファスナー片(21)と雌ファスナー片(22)を係合させる。
リストバンド(1a)の巻き付け長さは、面ファスナー(20)の雄ファスナー片(21)と雌ファスナー片(22)の係合位置によって調整できるので、手首の太さの大、小に関わらず、リストバンド(1a)を手首にフィットさせることができる。
【００１９】
上記リストバンド(1a)は、素材が綿であって吸水性がよいので、滴る汗を拭うのに効果的である。又、綿は通気性がよいので手首の蒸れを防止できる。
又、リストバンド(1a)は、織製であるから、色の異なる複数本の糸を用いて織りによって色模様を形成する場合、従来の編製の布に、色の異なる複数本の糸を用いて模様を施す場合の様に、模様の輪郭に不必要なギザギザ線が強調されることを抑えることができる。
【００２０】
リストバンド(1a)を開くと、ハンカチとして使用できる。その場合、面ファスナー(20)の雄ファスナー片(21)の飛び出しが邪魔になることがあるので、雄ファスナー片(21)を布(１)の裏側に折り返して雌ファスナー片(22)に係合すればよい。
【００２１】
尚、リストバンド(1a)を水で濡らして手首に巻くと、熱を取る効果があり、長時間に亘ってボーリング競技を行なった際の、手首の発熱を効果的に和らげることができる。
【００２２】
図６は、止め具(３)及び係止手段(２)の他の実施例を示している。
止め具(３)及び係止手段(２)は、何れも、布(１)の隅部に設けた紐(33)(34)、(23)(24)を結んで布(１)を２つ折り状態に保持し、或いは帯状体(10)に畳んで、リストバンド(1a)やヘッドバンドに形成した、その端部どうしを係止できる。に
【００２３】
図７は、タオルサイズの布(１)の長手方向に沿う一端隅部に、雄ファスナー片(21)
を外向きに突設し、該雄ファスナー片(21)の位置に対して、布の長手方向の反対側に雌ファスナー片(22)を縫着した、汗取り具の他の実施例を示している。
上記布(１)は、開いた状態では通常のタオルとして使用でき、長手方向の側縁と平行に４つ折りしてヘッドバンド(1b)として使用できる。
【００２４】
上記実施例の説明は、本考案を説明するためのものであって、実用新案登録請求の範囲に記載の考案を限定し、或は範囲を減縮する様に解すべきではない。又、本考案の各部構成は上記実施例に限らず、実用新案登録請求請求の範囲に記載の技術的範囲内で種々の変形が可能である。
【００２５】
例えば、布(１)を２つ折り状態に保持する止め具(３)は、省略しても問題はない。
【００２６】
又、布(１)は４つ折りに限らず、布(１)の大きさと、巻き付け部位に応じて、複数回折ることによって、巻き付け部位に対応する長さの帯状体が形成できればよい。
【図面の簡単な説明】
【００２７】
【図１】リストバンドとなる布の正面図である。
【図２】同上の背面図である。
【図３】同上の布を２つ折りした状態の説明図である。
【図４】図３の布を更に２つ折りしてリストバンドを形成した説明図である。
【図５】リストバンドの装着状態の説明図である。
【図６】係止手段の他の実施例の説明図である。
【図７】ヘッドバンドとなる布の正面図である。
【図８】同上の布を４つ折りしてヘッドバンドを形成した説明図である。
【符号の説明】
【００２８】
１  布
1a  リストバンド
1b  ヘッドバンド
２  係止手段
20  面ファスナー
【図１】
0003114609.tif 000003
【図２】
0003114609.tif 000004
【図３】
0003114609.tif 000005
【図４】
0003114609.tif 000006
【図５】
0003114609.tif 000007
【図６】
0003114609.tif 000008
【図７】
0003114609.tif 000009
【図８】
0003114609.tif 000010